(57)【要約】      （修正有）【課題】茶筅の柄の外径が撹拌装置のホルダの内径より小さい場合にも茶筅を撹拌装置に取付けられるアダプタを提供する。【解決手段】茶筅２０の柄２１を撹拌装置４０の振動機構４１に取付けるためのアダプタ１０であって、シリコンゴムからなる内部が空洞の円筒形状であり、内径が茶筅２０の柄２１の外径と略同一であるとともに、外径が撹拌装置４０の茶筅ホルダの内径と略同一であるアダプタ本体を有し、アダプタ本体の内壁に複数の突起を備える。【選択図】図４
0003227570.tif 000002
【実用新案登録請求の範囲】
【請求項１】
茶筅の柄を撹拌装置の振動機構に取付けるためのアダプタであって、
シリコンゴムからなる内部が空洞の円筒形状であり、内径が前記茶筅の前記柄の外径と略同一であるとともに、外径が前記振動機構の茶筅ホルダの内径と略同一であるアダプタ本体を有し、
前記アダプタ本体の内壁に複数の突起を備えたことを特徴とするアダプタ。
【請求項２】
請求項１に記載のアダプタを前記茶筅の前記柄に装着したことを特徴とするアダプタ付き茶筅。
【請求項３】
前記茶筅は、合成樹脂からなることを特徴とする請求項２に記載のアダプタ付き茶筅。
【請求項４】
抹茶を立てるための撹拌装置であって、
茶筅と、
前記茶筅の柄を茶筅ホルダに取付けて振動させる振動機構と、
シリコンゴムからなる内部が空洞の円筒形状であり、内径が前記茶筅の前記柄の外径と略同一であるとともに、外径が前記振動機構の前記茶筅ホルダの内径と略同一であるアダプタ本体を有し、前記アダプタ本体の内壁に複数の突起を備えたことで、前記柄に取付けて、前記柄の外径と前記ホルダの内径との寸法差によるガタツキを解消可能なアダプタと、を備えたことを特徴とする撹拌装置。
【請求項５】
前記茶筅は、合成樹脂からなることを特徴とする請求項４に記載の撹拌装置。
【考案の詳細な説明】
【技術分野】
【０００１】
本考案は、茶筅を電動による振動により、手軽に抹茶を立てることを可能とする撹拌装置に茶筅を取付けるためのアダプタ、アダプタ付き茶筅、及び撹拌装置に関するものである。
【背景技術】
【０００２】
茶道では、茶碗に入れた抹茶にお湯を注いで、茶筅によって撹拌して泡立てることが過去より行われている。
【０００３】
しかしながら、抹茶を立てる人の経験によって、抹茶の味に差がでる。また、多くの抹茶を立てる場合に時間がかかっている。
【０００４】
特許文献１には、抹茶等の撹拌のためにモータを用いた撹拌装置について記載されていて、茶道に心得のない人でも手軽に抹茶を楽しむことができるようになった。
【先行技術文献】
【特許文献】
【０００５】
特許文献１：特許第２６１８１９７号公報
【考案の概要】
【考案が解決しようとする課題】
【０００６】
しかしながら、特許文献１に記載のものは、茶筅の柄を撹拌装置のホルダに挿入して取付ける構造であるため、茶筅の柄の外径が撹拌装置のホルダの内径より小さい場合は隙間ができて取付けられないという問題がある。
【０００７】
本考案は上記問題点を解決して、茶筅の柄の外径が撹拌装置のホルダの内径より小さい場合にも茶筅を撹拌装置に取付けられるようにすることを課題とする。
【課題を解決するための手段】
【０００８】
上記課題を解決するために本考案は、茶筅の柄を撹拌装置に取付けるためのアダプタであって、
シリコンゴムからなる内部が空洞の円筒形状であり、内径が前記茶筅の前記柄の外径と略同一であるとともに、外径が前記撹拌装置の茶筅ホルダの内径と略同一であるアダプタ本体を備え、
前記アダプタ本体は、内壁に複数の突起を備えたことを特徴とするアダプタを提供するものである。
【０００９】
このアダプタを茶筅の柄に装着してから撹拌装置に取付けることにより、茶筅の柄の外径が撹拌装置のホルダの内径より小さい場合にも茶筅を撹拌装置に取付けることができる。
【００１０】
前述のアダプタを前記茶筅の前記柄に装着したことを特徴とするアダプタ付き茶筅としてもよい。
【００１１】
この構成により、容易に撹拌装置に取付けることができる。
【００１２】
アダプタ付き茶筅であって、前記茶筅は、合成樹脂からなる構成としてもよい。
【００１３】
この構成により、抹茶を立てるときに、茶筅の上り穂や下り穂が折れる心配がなくなる。
【００１４】
また、上記課題を解決するために本考案は、抹茶を立てるための撹拌装置であって、
茶筅と、
前記茶筅の柄を茶筅ホルダに取付けて振動させる振動機構と、
シリコンゴムからなる内部が空洞の円筒形状であり、内径が前記茶筅の前記柄の外径と略同一であるとともに、外径が前記撹拌装置の前記茶筅ホルダの内径と略同一であるアダプタ本体とを備え、前記アダプタ本体は、内壁に複数の突起を備えたことで、前記柄に取付けて、前記柄の外径と前記ホルダの内径との寸法差によるガタツキを解消可能なアダプタと、を備えたことを特徴とする撹拌装置を提供するものである。
【００１５】
この構成により、茶筅の柄の外径が撹拌装置のホルダの内径より小さい場合にも茶筅を撹拌装置に取付けることができる。
【００１６】
撹拌装置であって、前記茶筅は、合成樹脂からなる構成としてもよい。
【００１７】
この構成により、抹茶を立てるときに、茶筅の上り穂や下り穂が折れる心配がなくなる。
【考案の効果】
【００１８】
本考案のアダプタ、アダプタ付き茶筅、及び撹拌装置により、茶筅の柄の外径が撹拌装置のホルダの内径より小さい場合にも茶筅を撹拌装置に取付けられ、手軽に抹茶を楽しむことができる。
【図面の簡単な説明】
【００１９】
【図１】本考案の実施形態におけるアダプタを説明する図である。
【図２】本考案の実施形態における茶筅を説明する図である。
【図３】本考案の実施形態におけるアダプタ付き茶筅を説明する図である。
【図４】本考案の実施形態における撹拌装置を説明する図である。
【図５】本考案の実施形態における撹拌装置における振動機構の茶筅ホルダを説明する図である。
【考案を実施するための形態】
【００２０】
まず、図２を参照して、本考案の実施形態における茶筅２０を説明する。茶筅２０は、合成樹脂で構成され、抹茶の泡を立てる役目を果たす上り穂２２と下り穂２３、及び手で持つか、又は後述の振動装置４０における振動機構４１の茶筅ホルダ４３に取付けるための柄２１を備えている。
【００２１】
茶筅２０は、図４に示すように、撹拌装置４０における振動機構４１に取り付けて電動で抹茶を立てることができる。その際、茶筅２０の柄２１の外径が撹拌装置４０における振動機構４１の茶筅ホルダ４３（図５参照）の内径より小さい場合は隙間ができて取付けることができない。本実施形態における柄２１の外径は約２０ｍｍφであり、撹拌装置４０における振動機構４１のホルダ４３の内径は約２７ｍｍφである。
【００２２】
そのため、図１に示すアダプタ１０を茶筅２０に取付けたアダプタ付き茶筅３０を用意する（図３参照）。アダプタ１０を茶筅２０に取付けるには、アダプタ１０の内壁を茶筅２０の柄２１の外壁に差し込んで装着する。アダプタ１０は、アダプタ本体１１を備えている。アダプタ本体１１は、シリコンゴムからなる内部が空洞の円筒形状であり、内径が約２０ｍｍφで茶筅２０の柄２１の外径と略同一であるとともに、外径が約２７ｍｍφで撹拌装置４０における振動機構４１の茶筅ホルダ４３の内径と略同一である。そして、アダプタ本体１１は、内壁に複数の突起１２を備えている。このため、アダプタ４０を茶筅２０の柄２１に取付けたときにしっかりと保持され、振動を加えてもずれることがない。
【００２３】
アダプタ本体１１の内壁に設けられた突起１２は、約２ｍｍφの円弧形を有し、高さは約０．５ｍｍである。本実施形態における突起１２は、３２ヶ所に設けられているが、この突起１２の個数は限定するものではなく、適宜変更することができる。
【００２４】
なお、本実施形態においては、突起１２が約２ｍｍφ×高さ０．５ｍｍの円弧形を有した構成としたが、必ずしもこれに限定されず適宜変更が可能である。例えば、φ３ｍｍ以上としてもよいし、０．４ｍｍ以下の高さとしてもよい。また、円弧形状でなくてもよく、線状の突起としてもよい。少なくとも複数の突起を有しておればよく、形状や寸法は任意のものとすることができる。
【００２５】
また、本実施形態においては、アダプタ１０はシリコンゴムで構成するようにしたが、必ずしもこれに限定されず適宜変更が可能である。例えば、天然ゴムや弾性を有する合成樹脂を用いてもよい。
【００２６】
撹拌装置４０について、図４及び図５を参照して説明する。撹拌装置４０は内部に図示しない電池やモータを有している振動機構４１を備えており、スイッチ４４をオンにすることで、茶筅ホルダ４３が一定方向に振動する。これは、茶道の抹茶の立て方における手の動きを模した振動を与えるものである。
【００２７】
そして、撹拌装置４０における振動機構４１の茶筅ホルダ４３は弾性を有しており、茶筅ホルダ４３の外側からホルダリング４２をねじ込むことで茶筅ホルダ４３が内部へと絞り込まれる構造を有している。そして、茶筅ホルダ４３に茶筅２０の柄２１を挿入し、茶筅ホルダ４３の外側のホルダリング４２を時計方向に回して締め付けることで、茶筅ホルダ４３が内部方向に締め付けられて、茶筅２０が撹拌装置４０の振動機構４１に取付けられる。その際、茶筅２０の柄２１の外径が撹拌装置４０の茶筅ホルダ４３（図５参照）の内径より小さい場合は隙間ができて取付けることができない。そのため、前述のアダプタ１０を茶筅２０の柄２１に取付けたアダプタ付き茶筅３０を撹拌装置４０における振動機構４１の茶筅ホルダ４３に挿入することで、隙間がなくしっかりと保持することができる。
【００２８】
抹茶を立てるときは、アダプタ付き茶筅３０を取付けた撹拌装置４０を手に持ち、茶筅２０の上り穂２２及び下り穂２３を抹茶の入った茶碗に略垂直に向けて、撹拌装置４０のスイッチ４４をオンにすればよい。これにより、振動機構４１により一定方向に振動が加えられて抹茶を立てることができる。撹拌装置４０のスイッチ４４を再度押してオフにすれば振動を止めることができる。
【００２９】
アダプタ付き茶筅３０を撹拌装置４０から取り外すときは、ホルダリング４２を反時計方向に回して緩めることで、容易に取り外すことができる。また、アダプタ付き茶筅３０からアダプタ１０を取り外すときは、アダプタ付き茶筅３０の柄２１を一方の手で掴み、もう片方の手でアダプタ１０を上り穂２２とは逆方向に引っ張ればよい。
【００３０】
このように、本実施形態においては、茶筅の柄を撹拌装置の振動機構に取付けるためのアダプタであって、
シリコンゴムからなる内部が空洞の円筒形状であり、内径が前記茶筅の前記柄の外径と略同一であるとともに、外径が前記振動機構の茶筅ホルダの内径と略同一であるアダプタ本体を有し、
前記アダプタ本体の内壁に複数の突起を備えたことを特徴とするアダプタにより、茶筅の柄の外径が撹拌装置のホルダの内径より小さい場合にも茶筅を撹拌装置に取付けられる。
【００３１】
また、抹茶を立てるための撹拌装置であって、
茶筅と、
前記茶筅の柄を茶筅ホルダに取付けて振動させる振動機構と、
シリコンゴムからなる内部が空洞の円筒形状であり、内径が前記茶筅の前記柄の外径と略同一であるとともに、外径が前記振動機構の前記茶筅ホルダの内径と略同一であるアダプタ本体を有し、前記アダプタ本体の内壁に複数の突起を備えたことで、前記柄に取付けて、前記柄の外径と前記ホルダの内径との寸法差によるガタツキを解消可能なアダプタと、を備えたことを特徴とする撹拌装置により、茶筅の柄の外径が撹拌装置のホルダの内径より小さい場合にも茶筅を撹拌装置に取付けられる。
【産業上の利用可能性】
【００３２】
本考案のアダプタ、アダプタ付き茶筅、及び撹拌装置は、抹茶を立てる分野に広く利用することができる。
【符号の説明】
【００３３】
１０：アダプタ    １１：アダプタ本体    １２：突起    
２０：茶筅    ２１：柄    ２２：上り穂    ２３：下り穂    
３０：アダプタ付き茶筅    
４０：撹拌装置    ４１：振動機構    
４２：ホルダリング    ４３：茶筅ホルダ    ４４：スイッチ    
【図１】
0003227570.tif 000003
【図２】
0003227570.tif 000004
【図３】
0003227570.tif 000005
【図４】
0003227570.tif 000006
【図５】
0003227570.tif 000007